(57)【要約】【課題】音声記録時のＰＷＭ駆動ノイズの混入を防止する。【解決手段】カメラの動作モードに応じて表示手段を照明する照明手段の駆動方法を変更する。例えば、非音声記録モードの場合は、照明手段に対して電圧の印加と遮断を繰り返すＰＷＭ駆動を行い、音声記録モードの場合は、照明手段に対して一定の電圧を印加し続ける定電圧駆動を行う。【選択図】図２
2010109924.tif 000002
【特許請求の範囲】
【請求項１】
画像を含む情報を表示する表示手段と、
前記表示手段を照明する照明手段と、
前記照明手段を駆動する駆動手段と、
音声を記録する音声記録手段とを備えたカメラにおいて、
前記駆動手段は、カメラの動作モードに応じて前記照明手段の駆動方法を変更することを特徴とするカメラ。
【請求項２】
請求項１に記載のカメラにおいて、
前記動作モードは音声記録モードであり、
前記駆動手段は、非音声記録モードの場合は、前記照明手段に対して電圧の印加と遮断を繰り返すＰＷＭ駆動を行い、音声記録モードの場合は、前記照明手段に対して一定の電圧を印加し続ける定電圧駆動を行うことを特徴とするカメラ。
【請求項３】
請求項２に記載のカメラにおいて、
前記駆動手段は、非音声記録モードの場合は、前記照明手段に対して所定電圧の印加と遮断を繰り返すＰＷＭ駆動を行い、音声記録モードの場合は、前記照明手段に対して前記所定電圧よりも低い一定の電圧を印加し続ける定電圧駆動を行うことを特徴とするカメラ。
【請求項４】
請求項２に記載のカメラにおいて、
前記駆動手段は、非音声記録モードの場合は、前記照明手段に第１抵抗器を直列に接続し、前記照明手段と前記第１抵抗器の直列回路に対して所定電圧の印加と遮断を繰り返すＰＷＭ駆動を行い、音声記録モードの場合は、前記照明手段に前記第１抵抗器と異なる抵抗値の第２抵抗器を直列に接続し、前記照明手段と前記第２抵抗器の直列回路に前記所定電圧を印加し続ける定電圧駆動を行うことを特徴とするカメラ。
【請求項５】
請求項３に記載のカメラにおいて、
前記第２抵抗器の抵抗値は前記第１抵抗器の抵抗値よりも大きいことを特徴とするカメラ。
【請求項６】
請求項１に記載のカメラにおいて、
前記動作モードは音声記録モードであり、
前記駆動手段は、非音声記録モードの場合は、前記照明手段に対して所定の周波数で電圧の印加と遮断を繰り返すＰＷＭ駆動を行い、音声記録モードの場合は、前記照明手段に対して可聴音領域外の周波数で電圧の印加と遮断を繰り返すＰＷＭ駆動を行うことを特徴とするカメラ。
【請求項７】
請求項６に記載のカメラにおいて、
前記駆動手段は、音声記録モードの場合は、前記照明手段に対して可聴音領域より低い周波数で電圧の印加と遮断を繰り返すＰＷＭ駆動を行うことを特徴とするカメラ。
【発明の詳細な説明】
【技術分野】
【０００１】
本発明はカメラに関する。
【背景技術】
【０００２】
画像や各種情報を表示するＬＣＤなどの表示部を照明するバックライトを、周辺輝度に応じてＰＷＭ駆動するようにしたカメラが知られている（例えば、特許文献１参照）。
【特許文献１】特開平１０−１１１４８７号公報
【発明の開示】
【発明が解決しようとする課題】
【０００３】
しかしながら、従来のカメラでは、画像とともに音声を記録する際に、マイクロフォンにバックライトのＰＷＭ駆動ノイズが混入してしまうという問題がある。
【課題を解決するための手段】
【０００４】
カメラの動作モードに応じて表示手段を照明する照明手段の駆動方法を変更する。
【発明の効果】
【０００５】
本発明によれば、カメラの動作モードに応じた最適な駆動方法とすることができる。例えば音声記録モード時にはＰＷＭ駆動から定電圧駆動に変更することができるので、ＰＷＭ駆動ノイズがマイクロフォンに混入して音声再生時に雑音が発生するのを防止することができる。
【発明を実施するための最良の形態】
【０００６】
図１は一実施の形態のカメラの電気的な構成を示すブロック図である。リチウムイオン電池１は、カメラのすべての電気回路および装置へ電力を供給する。ＤＣＤＣコンバーター２は電池１の電力を入力して定電圧電源を生成し、後述する制御回路部３、測光部４、電圧切換回路６などへ定電圧電源ＶＣＣを供給する。制御回路部３は図示しないマイクロコンピューターとメモリなどの周辺部品を備え、カメラの各種制御および演算を実行するとともに、表示部５を照明するＬＥＤ８を駆動制御する。測光部４は周辺の輝度を測定する。表示部５はＬＣＤからなり、撮影した画像を含む各種情報を表示する。
【０００７】
電圧切換回路６、抵抗器７、ＬＥＤ８およびトランジスター９は、表示部５を照明するＬＥＤ８の駆動回路を構成し、制御回路部３により制御される。電圧切換回路６は定電圧電源ＶＣＣの電圧を切り換える回路であり、通常は定電圧電源ＶＣＣの電圧を出力し、音声記録モード時のみ定電圧電源ＶＣＣよりも低い一定の電圧を出力する。抵抗器７は、ＬＥＤ８に流れる電流を制限する制限抵抗器である。ＬＥＤ８は表示部５を照明するバックライトである。トランジスター９はＬＥＤ８への通電と遮断、すなわちＬＥＤ８に対して電圧の印加と遮断を行うスイッチであり、制御回路部３により制御される。
【０００８】
レリーズスイッチ１０はレリーズボタン(不図示)の操作に連動してオン、オフするスイッチである。静止画／動画切換スイッチ１１は、静止画撮影と動画撮影とを切り換える切換ボタン(不図示)に連動するスイッチであり、オフ時は静止画、オン時は動画が選択される。再生スイッチ１２は画像再生ボタン(不図示)に連動するスイッチであり、オン時に表示部５に撮影画像が表示される。マイクスイッチ１３は音声を記録するためのスイッチであり、静止画撮影時にオンするとマイクロフォン１４により集音して音声を記録することができる。なお、動画撮影時にはマイクスイッチ１３が操作されなくても自動的にマイクロフォン１４による集音が行われ、音声が記録される。
【０００９】
一実施の形態のカメラの動作を説明する。静止画／動画切換スイッチ１１がオフされ静止画撮影モードが選択されると、制御回路部３の端子Ｐ４がハイレベルになり、制御回路部３は静止画撮影モードを設定する。そして、レリーズボタン操作によりレリーズスイッチ１０がオンすると、制御回路部３の端子Ｐ３がローレベルになり、制御回路部３は撮像素子(不図示)により静止画を撮像する。その後、画像再生ボタンの操作により再生スイッチ１２がオンすると制御回路部３の端子Ｐ５がローレベルになり、制御回路部３は端子Ｐ２から表示部５へ撮影した静止画のデータを送り、表示部５に静止画を表示する。
【００１０】
表示部５に静止画を表示するときは、制御回路部３は、端子Ｐ８をローレベルにして電圧切換回路６をオフし、上述した定電圧電源ＶＣＣを抵抗器７を介してＬＥＤ８に印加するとともに、端子Ｐ７を介して測光部４からカメラ周辺の輝度を入力し、端子Ｐ１からトランジスター９へ周辺輝度に応じたデューティーのパルス幅変調（ＰＷＭ）信号を出力し、トランジスター９をＰＷＭ駆動する。これにより、ＬＥＤ８には周辺輝度に応じたデューティーで間欠的に定電圧電源ＶＣＣが印加され、電流が流れて点灯する。周辺輝度が高く被写界が明るいときにはデューティーが低くなり、ＬＥＤ８に流れる電流が少なくなって暗く点灯する。一方、周辺輝度が低く被写界が暗いときにはデューティーが高くなり、ＬＥＤ８に流れる電流が多くなって明るく点灯する。
【００１１】
静止画／動画切換スイッチ１１がオンし制御回路部３の端子Ｐ４がローレベルになると、制御回路部３は動画撮影モードを設定する。そして、レリーズボタン操作によりレリーズスイッチ１０がオンすると、制御回路部３の端子Ｐ３がローレベルになり、制御回路部３は、撮像素子(不図示)により動画を撮像するとともに、マイクロフォン１４により音声を集音し、記録する。
【００１２】
画像と音声を記録する動画撮影時、またはマイクロフォンスイッチ１３がオンされて音声を記録するとき（音声記録モード時）には、制御回路部３は、端子Ｐ８をハイレベルにして電圧切換回路６をオンし、電圧切換回路６により定電圧電源ＶＣＣよりも低い一定の電圧を抵抗器８を介してＬＥＤ８に印加するとともに、端子Ｐ１を連続的にハイレベルにしてトランジスター９をオンしたままとする。これにより、ＬＥＤ８には定電圧電源ＶＣＣよりも低い一定の電圧が連続的に印加され（ＬＥＤ８の定電圧駆動）、ＬＥＤ８に電流が流れて点灯する。なお、このときのＬＥＤ８の明るさは周辺輝度に無関係に一定である。
【００１３】
図２は一実施の形態の表示照明動作を示すフローチャートである。このフローチャートにより、一実施の形態の表示照明動作を説明する。制御回路部３は、カメラの電源スイッチがオンされると繰り返しこの表示照明動作を実行する。ステップ１において、音声記録モードか否かを判別する。動画撮影時には、動画像を撮影すると同時にマイクロフォン１４により音声を集音し記録するため、音声記録モードである。また、静止画撮影時でも、静止画を撮影後に撮影に関する情報を音声で記録することがあり、マイクスイッチ１３がオンされたときは音声記録モードである。
【００１４】
音声記録モードの場合はステップ２へ進み、電圧切換回路６をオンするとともにトランジスター９を連続的にオンし、定電圧電源ＶＣＣよりも低い一定の電圧をＬＥＤ８に連続的に印加する、つまりＬＥＤ８の定電圧駆動を行う。これにより、ＬＥＤ８のＰＷＭ駆動が行われず、ＰＷＭ駆動ノイズがマイクロフォン１４に混入して音声再生時に雑音が発生するのを防止することができる。
【００１５】
一方、音声記録モードでない場合はステップ３へ進み、測光部４によりカメラ周辺の輝度を測定する。続くステップ４で、電圧切換回路６をオフするとともにトランジスター９を周辺輝度に応じたデューティーでＰＷＭ駆動し、定電圧電源ＶＣＣをＬＥＤ８に周辺輝度に応じたデューティーで間欠的に印加する。これにより、表示部５に表示される画像が周辺輝度に応じて照明され、見やすくなる。このとき、マイクロフォン１４による音声記録を行っていないので、ＰＷＭ駆動ノイズの混入はない。
【００１６】
《一実施の形態の第一の変形例》
上述した一実施の形態では、音声記録モードの場合に、ＬＥＤ８のＰＷＭ駆動を止め、電圧切換回路６により定電圧電源ＶＣＣよりも低い一定の電圧をＬＥＤ８に印加する定電圧駆動を行うようにしたが、電圧切換回路６により電圧を切り換える代わりに、音声記録モードか否かに応じてＬＥＤ駆動回路の制限抵抗器を切り換えるようにしてもよい。図３は第一の変形例のＬＥＤ駆動回路を示す。なお、図３では図１に示す回路と相違する部分のみを示す。抵抗切換器１５は抵抗器７ａと７ｂを切り換えるリレーであり、制御回路部３の端子Ｐ８ａによりオン、オフされる。非音声記録モード時には、抵抗切換器１５がオフされ、非音声記録モード用の抵抗器７ａが選択されるとともに、トランジスター９が周辺輝度に応じたデューティーでＰＷＭ駆動される。
【００１７】
一方、音声記録モード時には、抵抗切換器１５がオンされ、音声記録モード用の抵抗器７ｂが選択されるとともに、トランジスター９が周辺輝度と無関係に連続的にオンされる。抵抗器７ｂの抵抗値は抵抗器７ａの抵抗値よりも大きく、ＬＥＤ８には定電圧電源ＶＣＣよりも低い一定の電圧を印加した上記一実施の形態の場合と同程度の一定電流が流れる。このような駆動方法も定電圧駆動である。これにより、ＬＥＤ８のＰＷＭ駆動が行われず、ＰＷＭ駆動ノイズがマイクロフォン１４に混入して音声再生時に雑音が発生するのを防止することができる。
【００１８】
《一実施の形態の第二の変形例》
上述した一実施の形態では、非音声記録モードの場合にＬＥＤ８をＰＷＭ駆動し、音声記録モードの場合はＬＥＤ８をＰＷＭ駆動する代わりに定電圧駆動するようにしたが、音声記録モードか否かに拘わらずＬＥＤ８のＰＷＭ駆動を行い、音声記録モードか否かに応じてＰＷＭ駆動の駆動周波数を変更するようにした第二の変形例を説明する。なお、この第二の変形例の構成は図１に示す構成と同様である。
【００１９】
音声記録時にＬＥＤ８をＰＷＭ駆動すると、ＰＷＭ駆動ノイズがマイクロフォン１４を介して記録音声に混入し、再生時に音声とともにノイズが再生される。ところが、再生されるノイズが人間の一般的な可聴音領域外の周波数であれば、人間の耳には聞こえず、耳障りなノイズとして不快感を与えることはない。そこで、音声記録モード時のＰＷＭ駆動周波数を人間の可聴音領域外の周波数とする。ここで、一般的にＬＥＤをＰＷＭ駆動する場合には、高い周波数よりも低い周波数で駆動する方が、駆動周波数に対するＬＥＤの明るさの関係が線形的になり、好ましい。そこで、この第２の変形例では音声記録モードの場合のＰＷＭ駆動周波数を人間の可聴音領域よりも低い、例えば１ｋＨｚ以下の周波数とする。
【００２０】
なお、上述した実施の形態とそれらの変形例において、実施の形態と変形例とのあらゆる組み合わせが可能である。
【００２１】
上述した実施の形態とその変形例によれば以下のような作用効果を奏することができる。まず、カメラの動作モードに応じてＬＥＤ８の駆動方法を変更するようにしたので、例えば音声記録モード時にはＰＷＭ駆動から定電圧駆動に変更することができ、カメラの動作モードに応じた最適な駆動方法とすることができる。
【００２２】
一実施の形態によれば、非音声記録モードの場合は、ＬＥＤ８に対して電圧の印加と遮断を繰り返すＰＷＭ駆動を行い、音声記録モードの場合は、ＬＥＤ８に対して一定の電圧を印加し続ける定電圧駆動を行うようにしたので、ＰＷＭ駆動ノイズがマイクロフォンに混入して音声再生時に雑音が発生するのを防止することができる。
【００２３】
一実施の形態によれば、非音声記録モードの場合は、ＬＥＤ８に対して定電圧電源ＶＣＣの印加と遮断を繰り返すＰＷＭ駆動を行い、音声記録モードの場合は、ＬＥＤ８に対して定電圧電源ＶＣＣよりも低い一定の電圧を印加し続ける定電圧駆動を行うようにしたので、ＰＷＭ駆動ノイズがマイクロフォンに混入して音声再生時に雑音が発生するのを防止することができる。
【００２４】
一実施の形態によれば、非音声記録モードの場合は、ＬＥＤ８に抵抗器７ａを直列に接続し、ＬＥＤ８と抵抗器７ａの直列回路に対して定電圧電源ＶＣＣの印加と遮断を繰り返すＰＷＭ駆動を行い、音声記録モードの場合は、ＬＥＤ８にに抵抗器７ａと異なる抵抗値の抵抗器７ｂを直列に接続し、ＬＥＤ８と抵抗器７ｂの直列回路に定電圧電源ＶＣＣを印加し続ける定電圧駆動を行うようにしたので、ＰＷＭ駆動ノイズがマイクロフォンに混入して音声再生時に雑音が発生するのを防止することができる。
【００２５】
一実施の形態によれば、非音声記録モードの場合は、ＬＥＤ８に対して所定の周波数で電圧の印加と遮断を繰り返すＰＷＭ駆動を行い、音声記録モードの場合は、ＬＥＤ８に対して可聴音領域外の周波数で電圧の印加と遮断を繰り返すＰＷＭ駆動を行うようにしたので、ＰＷＭ駆動ノイズがマイクロフォンに混入して音声再生時に雑音が発生しても、雑音周波数が可聴音領域外であるため人間には聞こえず、ユーザーに不快感を与えるのを防止できる。
【００２６】
一実施の形態によれば、音声記録モードの場合は、ＬＥＤ８に対して可聴音領域より低い周波数で電圧の印加と遮断を繰り返すＰＷＭ駆動を行うようにしたので、ＰＷＭ駆動ノイズがマイクロフォンに混入して音声再生時に雑音が発生しても、雑音周波数が可聴音領域外であるため人間には聞こえず、ユーザーに不快感を与えるのを防止できる上に、低い周波数でＬＥＤ８を容易にＰＷＭ駆動することができる。
【図面の簡単な説明】
【００２７】
【図１】一実施の形態の電気的な構成を示すブロック図
【図２】一実施の形態の表示照明動作を示すフローチャート
【図３】第１の変形例の電気的な構成の一部を示す図
【符号の説明】
【００２８】
３；制御回路部、５；表示部、６；電圧切換回路、７、７ａ、７ｂ；抵抗器、８；ＬＥＤ、９；トランジスター、１４；マイクロフォン、ＶＣＣ；定電圧電源
【図１】
2010109924.tif 000003
【図２】
2010109924.tif 000004
【図３】
2010109924.tif 000005